(57)【要約】混合物、それらの製造及びそれらの使用方法  本発明は、（Ａ）一般式（Ｉ）  【化１】2016524627.tif 000012の少なくとも１種の化合物を１５〜８５質量％の範囲と、  （Ｂ）一般式（ＩＩ）    Ｒ３−ＣＨ２−Ｏ−（Ｇ２）ｙ−Ｈ            （ＩＩ）（式中、整数は以下のように定義される：  Ｒ１  は、直鎖状又は分岐状Ｃ３−Ｃ４−アルキルであり、  Ｒ２  は、直鎖状又は分岐状Ｃ５−Ｃ６−アルキルであり、  Ｇ１、Ｇ２は、異なるか同一であり、４〜６個の炭素原子を有するモノサッカライドから選択され、  ｘ、ｙは、１．１〜４の範囲の数であり、  Ｒ３  は、直鎖状又は分岐状Ｃ３−Ｃ９アルキルである）の少なくとも１種の化合物を８５〜１５質量％の範囲と、を含む混合物であって、上記パーセンテージは、前記混合物の合計を参照する混合物に関する。
2016524627.tif 000002
【特許請求の範囲】
【請求項１】
（Ａ）一般式（Ｉ）
【化１】
2016524627.tif 000011
の少なくとも１種の化合物を１５〜８５質量％の範囲と、
（Ｂ）一般式（ＩＩ）
Ｒ３−ＣＨ２−Ｏ−（Ｇ２）ｙ−Ｈ            （ＩＩ）
（式中、整数は以下のように定義される：
Ｒ１  は、直鎖状又は分岐状Ｃ３−Ｃ４−アルキルであり、
Ｒ２  は、直鎖状又は分岐状Ｃ５−Ｃ６−アルキルであり、
Ｇ１、Ｇ２は、異なるか同一であり、４〜６個の炭素原子を有するモノサッカライドから選択され、
ｘ、ｙは、１．１〜４の範囲の数であり、
Ｒ３  は、直鎖状又は分岐状Ｃ３−Ｃ９アルキルである）
の少なくとも１種の化合物を８５〜１５質量％の範囲と、
を含む混合物であって、
パーセンテージは、前記混合物の合計を参照し、化合物（Ａ）が、化合物（Ｂ）と異なる混合物。
【請求項２】
Ｇ１及びＧ２が、グルコース、アラビノース及びキシロースから選択されることを特徴とする請求項１に記載の混合物。
【請求項３】
ｘ及びｙが、１．１５〜１．９の範囲の数であることを特徴とする請求項１又は２に記載の混合物。
【請求項４】
Ｒ３が、ＣＨ（Ｃ２Ｈ５）−（ＣＨ２）３−ＣＨ３、ｎ−ヘプチル及びｎ−ノニルから選択されることを特徴とする請求項１〜３の何れか１項に記載の混合物。
【請求項５】
前記混合物が、少なくとも２種の化合物（Ａ）を含むことを特徴とする請求項１〜４の何れか１項に記載の混合物。
【請求項６】
１個の化合物（Ａ）において、Ｒ１が、イソプロピルから選択され、Ｒ２が、ＣＨ２−ＣＨ２−ＣＨ（ＣＨ３）２から選択されることを特徴とする請求項１〜５の何れか１項に記載の混合物。
【請求項７】
１個の化合物（Ａ）において、Ｒ１が、ｎ−Ｃ３Ｈ７から選択され、Ｒ２が、ｎ−Ｃ５Ｈ１１から選択されることを特徴とする請求項１〜５の何れか１項に記載の化合物。
【請求項８】
ｘ又はｙを有する分子において、ｘ及びｙが、それぞれ２以上であり、糖分子が、１，４−位で結合されていることを特徴とする請求項１〜７の何れか１項に記載の混合物。
【請求項９】
少なくとも１種の化合物（Ａ）が、少なくとも１種の化合物（Ｂ）と混合されることを特徴とする請求項１〜８の何れか１項に記載の混合物の製造方法。
【請求項１０】
硬表面又は繊維の洗浄用の請求項１〜８の何れか１項に記載の混合物の使用方法。
【請求項１１】
請求項１〜８の何れか１項に記載の混合物を使用することによって硬表面又は繊維を洗浄する方法。
【請求項１２】
前記洗浄が、脱脂洗浄を含むことを特徴とする請求項１１に記載の方法。
【請求項１３】
請求項１〜８の何れか１項に記載の少なくとも１種の混合物を３５〜８０質量％の範囲で含む水性組成物。
【請求項１４】
化合物（Ａ）又は化合物（Ｂ）の合成から生じる少なくとも１種の副生成物をさらに含むことを特徴とする請求項１３に記載の水性組成物。
【発明の詳細な説明】
【技術分野】
【０００１】
本発明は、（Ａ）一般式（Ｉ）
【化１】
2016524627.tif 000003
の少なくとも１種の化合物を１５〜８５質量％の範囲と、
（Ｂ）一般式（ＩＩ）
Ｒ３−ＣＨ２−Ｏ−（Ｇ２）ｙ−Ｈ            （ＩＩ）
（式中、整数は以下のように定義される：
Ｒ１  は、直鎖状又は分岐状Ｃ３−Ｃ４−アルキルであり、
Ｒ２  は、直鎖状又は分岐状Ｃ５−Ｃ６−アルキルであり、
Ｇ１、Ｇ２は、異なるか同一であり、４〜６個の炭素原子を有するモノサッカライドから選択され、
ｘ、ｙは、１．１〜４の範囲の数であり、
Ｒ３  は、直鎖状又は分岐状Ｃ３−Ｃ９アルキルである）
の少なくとも１種の化合物を８５〜１５質量％の範囲と、
を含む混合物であって、
上記パーセンテージは、前記混合物の合計を参照し、化合物（Ａ）が、化合物（Ｂ）と異なる混合物に関する。
【０００２】
さらに、本発明は、混合物の使用方法及び混合物の製造方法に関する。
【背景技術】
【０００３】
表面、例えば、硬表面又は繊維を水性組成物で洗浄するときに、いくつかの問題が解決されなければならない。一つの課題は、除去されることになっている汚れを可溶化し、水性媒体中に汚れを保持することである。他の課題は、水性媒体を洗浄される表面と接触させることである。そのような硬表面の洗浄の特定の目的は、脱脂洗浄となり得る。本発明で使用される脱脂洗浄は、それぞれの表面から固体及び／又は液体の疎水性の物質を除去することを指す。そのような固体又は液体の疎水性の物質は、追加の不要な物質、例えば、顔料、特に黒色顔料、例えば、煤を含んでもよい。
【０００４】
ＷＯ９４／２１６５５に記載されているようないくつかのアルキルポリグリコシド（“ＡＰＧ”）は、ラッカー塗装された又はラッカー塗装されていない金属表面の脱脂洗浄でよく知られている。硬表面を洗浄するために製造される組成物は、長い保存寿命を有することが期待されている。それらは、安定したエマルション、安定したコロイド溶液、又は安定した水溶液から選択される安定した水性組成物を形成すべきである。安定した水性組成物は、それぞれの保存条件下で壊れることがなく、混濁を形成することがない水性組成物と定義される。しかしながら、アルキルポリグリコシド、例えば、２−ｎ−プロピルヘプチルグルコシドのいくつかの水性組成物の寿命は、改善の余地が残されている。他方で、アルキルポリグリコシドは、高い湿潤性を示す界面活性剤であり、従って、それらは、非常に魅力的な製品である。
【先行技術文献】
【特許文献】
【０００５】
【特許文献１】ＷＯ９４／２１６５５
【発明の概要】
【発明が解決しようとする課題】
【０００６】
従って、本発明の目的は、長い保存寿命と、優れた脱脂洗浄特性を示す組成物を提供することであった。さらに、目的は、長い保存寿命と優れた脱脂洗浄特性を示す組成物の製造方法を提供することであった。さらに、目的は、長い保存寿命と優れた脱脂洗浄特性を示す組成物の使用方法を提供することであった。
【０００７】
従って、初めに定義された混合物が発見され、それらは、また本発明の混合物と呼ばれる。
【０００８】
本発明の混合物は、
（Ａ）一般式（Ｉ）
【化２】
2016524627.tif 000004
の少なくとも１種の化合物（略して、化合物（Ａ）とも呼ばれる）
を、１５〜８５質量％、好ましくは２０〜８０質量％、より好ましくは２０〜５５質量％の範囲と、
（Ｂ）一般式（ＩＩ）
Ｒ３−ＣＨ２−Ｏ−（Ｇ２）ｙ−Ｈ                （ＩＩ）
（式中、整数は、以下のように定義される：
Ｒ１は、直鎖状又は分岐状Ｃ３−Ｃ４−アルキル、ｎ−プロピル及びイソプロピルから選択されるＣ３−アルキル、ｎ−ブチル、イソブチル及び第二級ブチルから選択されるＣ４−アルキルであり、
Ｒ２は、直鎖状又は分岐状Ｃ５−Ｃ６−アルキル、２−メチルブチル、ｎ−ペンチル、第二級ペンチル、３−メチルブチルから選択されるＣ５−アルキル、ｎ−ヘキシル、イソ−ヘキシル、１−メチルペンチル、２−メチルペンチル、３−メチルペンチル、４−メチルペンチル、２−エチルブチル、３−エチルブチル、好ましくはｎ−ペンチル、３−メチルブチル及びｎ−ヘキシル、特に好ましくは、ｎ−ペンチル及びｎ−ヘキシルから選択されるＣ６−アルキルであり、
Ｇ１、Ｇ２は、異なるか同一であり、４〜６個の炭素原子を有するモノサッカライド、例えば、テトロース、ペントース及びヘキソースから選択され、
ｘ、ｙは、１．１〜４の範囲の数であり、好ましくは、１．１〜２の範囲の数であり、特に好ましくは、１．１５〜１．９の範囲の数であり、
Ｒ３は、直鎖状又は分岐状Ｃ３−Ｃ９−アルキルである）
の少なくとも１種の化合物（略して、化合物（Ｂ）とも呼ばれる）を、８５〜１５質量％、好ましくは８０〜２０質量％、より好ましくは５５〜２０質量％の範囲と、
を含み、パーセンテージは、本発明の混合物の合計を参照する混合物。
【０００９】
本発明の過程で、一般式（Ｉ）の化合物は、成分（Ａ）又は化合物（Ａ）とも呼ばれ得る。さらに、本発明の過程で、一般式（ＩＩ）の化合物は、成分（Ｂ）又は化合物（Ｂ）とも呼ばれ得る。
【発明を実施するための形態】
【００１０】
本発明の目的のためには、化合物（Ａ）及び化合物（Ｂ）は互いに異なる。本発明の実施形態の一つにおいては、化合物（Ａ）と化合物（Ｂ）は異性体である。本発明の他の実施形態においては、化合物（Ａ）と化合物（Ｂ）は、異性体ではないが、Ｒ１とＲ２における炭素原子の数において異なり、又は異なるモノサッカライドＧ１及びＧ２において異なる。本発明の目的のためには、化合物（Ａ）と化合物（Ｂ）は、それらがＧ１とＧ２の異なる重合度を有し、分子が他の点で同一であれば、単に異なるとはみなされない。
【００１１】
化合物（Ａ）及び化合物（Ｂ）のようなアルキルポリグリコシドは、それぞれ、通常、それぞれのサッカライドの異なる重合度を有する様々な化合物の混合物である。式（Ｉ）及び式（ＩＩ）において、ｘとｙは、それぞれ数平均値であり、好ましくは、高温ガスクロマトグラフィー（ＨＴＧＣ）（例えば、４００℃で、Ｋ. Ｈｉｌｌ等“ Ａｌｋｙｌ Ｐｏｌｙｇｌｙｃｏｓｉｄｅｓ”（ＶＣＨ ヴァインハイム、ニューヨーク、バーゼル、ケンブリッジ、東京、１９９７年、特に、２８ページｆｆ）に従う）によって、又はＨＰＬＣによって測定されるサッカライド分布に基づいて計算されると理解される。ＨＰＬＣとＨＴＧＣによって得られる値が異なる場合には、好ましくは、ＨＴＧＣに基づく値である。
【００１２】
本発明の実施形態の一つにおいては、本発明の混合物は、１種の化合物（Ａ）を含む。
【００１３】
本発明の実施形態の一つにおいては、本発明の混合物は、１種以上の化合物（Ａ）、例えば、３種又は２種の異なる化合物（Ａ）を含む。本発明においては、異なる化合物（Ａ）は、それらがＧ１の異なる重合度を有し、分子が他の点で同一であれば、単に異なるとは考えられない。本発明の混合物が１種以上の化合物（Ａ）を含む場合には、パーセンテージは、全ての化合物（Ａ）の合計を指す。
【００１４】
本発明の実施形態の一つにおいては、本発明の混合物は１種の化合物（Ｂ）を含む。
【００１５】
本発明の実施形態の一つにおいては、本発明の混合物は、１種以上の化合物（Ｂ）、例えば、３種又は２種の異なる化合物（Ｂ）を含む。本発明においては、異なる化合物（Ｂ）は、それらがＧ２の異なる重合度を有し、分子が他の点で同一であれば、単に異なると考えられるのではない。
【００１６】
本発明の混合物が１種以上の化合物（Ｂ）を含む場合には、パーセンテージは、全ての化合物（Ｂ）の合計を指す。
【００１７】
本発明の実施形態の一つにおいては、Ｒ１とＲ２は、互いに独立して選択される。
【００１８】
本発明の好ましい実施形態においては、Ｒ１とＲ２は互いに独立して選択される。例えば、Ｒ１が直鎖状又は分岐状Ｃ３−アルキルから選択される場合には、その後、Ｒ２は、直鎖状又は分岐状Ｃ５−アルキルから選択される。他の例においては、Ｒ１が、直鎖状又は分岐状Ｃ４−アルキルから選択され、Ｒ２が直鎖状又は分岐状Ｃ６−アルキルから選択される。
【００１９】
本発明の特に好ましい実施形態においては、Ｒ１はイソプロピルであり、Ｒ２は、ＣＨ２−ＣＨ２−ＣＨ（ＣＨ３）２である。
【００２０】
本発明の他の特に好ましい実施形態においては、Ｒ１はｎ−Ｃ３Ｈ７であり、Ｒ２はｎ−Ｃ５Ｈ１１である。
【００２１】
本発明の実施形態の一つにおいては、Ｇ１とＧ２は、独立して互いに、モノサッカライドから、好ましくは、テトロース、ペントース及びヘキソースから選択される。テトロースの例は、エリスロース、トレオース及びエリトルロースである。ペントースの例は、リブロース、キシルロース、リボース、アラビノース、キシロース及びリキソースである。ヘキソースの例は、ガラクトース、マンノース、及びグルコースである。モノサッカライドは、合成又は天然物由来又は天然物から単離されたもの（以下に、略して天然サッカライド又は天然ポリサッカライドと呼ぶ）であってもよく、天然サッカライド、天然ポリサッカライドが好ましい。より好ましくは、以下の天然モノサッカライド：ガラクトース、アラビノース、キシロース、特にグルコースである。モノサッカライドは、任意のそれらのエナンチオマーから選択されることができ、天然に発生するエナンチオマー及び天然に発生するエナンチオマーの混合物が好ましい。
【００２２】
２個以上のモノサッカライド基を有する化合物（Ａ）及び化合物（Ｂ）の単一分子において、モノサッカライドユニット間のグリコシド結合は、アノマー配置（α−；β−）において、及び／又は結合の位置において、例えば、１，２−位又は１，３−位で、好ましくは１，６−位又は１，４−位で異なってもよい。
【００２３】
整数ｘ及びｙは、１．１〜４、好ましくは、１．１〜２、特に好ましくは１．１５〜１．９の範囲の数である。本発明においては、ｘ及びｙは、平均値を指し、それらは必ずしも整数とは限らない。当然、具体的な分子においては、Ｇ１又はＧ２の完全な基のみが、それぞれ発生し得る。
【００２４】
好ましくはｙ≧ｘである。
【００２５】
単一の分子において、例えば、分子あたり、一個のＧ１部分のみ又は最大１５個のＧ１部分が存在してもよい。
【００２６】
本発明の好ましい実施形態においては、化合物（Ａ）は、ｘが１．１〜２の範囲である２−プロピルヘプチルグルコシドから選択され、化合物（Ｂ）は、ｙが１．１〜２の範囲である２−エチルヘキシルグルコシドから選択される。
【００２７】
本発明の他の好ましい実施形態においては、化合物（Ａ）は、ｘが１．１〜２の範囲である２−プロピルヘプチルグルコシドから選択され、化合物（Ｂ）は、ｙが１．１〜２の範囲である２−エチルヘキシルグルコシドから選択される。
【００２８】
Ｒ３は、分岐状又は直鎖状Ｃ３−Ｃ９−アルキルである。Ｒ３の例は、ｎ−プロピル、イソプロピル、ｎ−ブチル、１−メチルブチル、２−メチルブチル、３−メチルブチル、イソ−ペンチル、３−メチルペンチル、１−エチルブチル、ｎ−ヘプチル、イソ−ヘプチル、１−メチルヘキシル、２−メチルヘキシル、３−メチルヘキシル、４−メチルヘキシル、１−エチルペンチル、２−エチルペンチル、３−エチルペンチル、１−プロピルブチル、ｎ−オクチル及びｎ−ノニルであり、Ｒ３の好ましい例は、１−エチルブチル、ＣＨ（Ｃ２Ｈ５）−（ＣＨ２）３ＣＨ３及びｎ−ペンチル、ｎ−ヘキシル、ｎ−ヘプチル、ｎ−オクチル、及びｎ−ノニルであり、特に好ましくは、ＣＨ（Ｃ２Ｈ５）−（ＣＨ２）３ＣＨ３、ｎ−ヘプチル及びｎ−ノニルである。
【００２９】
本発明の実施形態の一つにおいては、それぞれの成分（Ａ）及び（Ｂ）は、純粋な化合物ではなく、１種以上の不純物、例えば、残留アルコールを含んでもよい。成分（Ａ）についての残留アルコールは、一般式（ＩＩＩ）
【化３】
2016524627.tif 000005
（Ｒ１とＲ２は、それぞれの成分（Ａ）におけるＲ１とＲ２と同じ方法で定義される）
のアルコールである。
【００３０】
成分（Ｂ）についての残留アルコールは、一般式（ＩＶ）
Ｒ３−ＣＨ２−Ｏ−Ｈ                （ＩＶ）
（Ｒ３は、それぞれの成分（Ｂ）におけるＲ３と同じ方法で定義される）
の化合物である。好ましくは、それぞれの成分（Ａ）と（Ｂ）は、それぞれの残留アルコールを少ない量だけ含む。例えば、好ましくは、本発明の混合物において、成分（Ａ）は、成分（Ａ）の全体に対して、５０ｐｐｍ〜０．５質量％の範囲、好ましくは１００ｐｐｍ〜０．３５質量％、さらに好ましくは２００ｐｐｍ〜０．３質量％の範囲の残留アルコールを含む。同様に、本発明の混合物において、成分（Ｂ）は、成分（Ｂ）の全体に対して、５０ｐｐｍ〜０．５質量％の範囲、好ましくは、１００ｐｐｍ〜０．３５質量％、さらに好ましくは２００ｐｐｍ〜０．３質量％の範囲の残留アルコールを含む。簡略の問題のために、本発明においては、成分（Ａ）と（Ｂ）は、それらの残留アルコールの含有量を含めて計算される。残留アルコール含有量は、例えば、高温ガスクロマトグラフィー（ＨＴＧＣ）によって測定され得る。
【００３１】
本発明の実施形態の一つにおいては、化合物（Ａ）は、１０〜１０００の範囲、好ましくは５０〜８００の範囲、さらに好ましくは１００〜５００の範囲のハーゼン色数を有し得る。
【００３２】
本発明の実施形態の一つにおいては、化合物（Ｂ）は、１０〜１０００の範囲、好ましくは５０〜８００の範囲、より好ましくは１００〜５００の範囲のハーゼン色数を有し得る。
【００３３】
ハーゼン色数は、ＤＩＮ  ＥＮ  ＩＳＯ６２７１−１又は６２７１−２に準じて測定され得る。
【００３４】
本発明の実施形態の一つにおいては、化合物（Ａ）は、０．１〜８．０の範囲、好ましくは０．５〜５．０の範囲、より好ましくは１．０〜３．５の範囲のガードナー色数を有し得る。
【００３５】
ガードナー色数は、ＤＩＮ  ＥＮ  ＩＳＯ４６３０−１又は４６３０−２に準じて測定され得る。
【００３６】
ハーゼン及びガードナー色数は、１０％溶液に基づいて測定される。
【００３７】
本発明の実施形態の一つにおいては、成分（Ａ）と（Ｂ）の合成時に、技術的品質のアルコールが純粋な化合物の代わりに使用される。従って、一般式（ＩＩＩ）のアルコールは、少量の、例えば、一般式（ＩＩＩ）の化合物に対して、最大で２０質量％の１種以上の異性体も含むことが可能である。さらに、一般式（ＩＶ）のアルコールは、少量の、例えば、一般式（ＩＶ）のそれぞれの化合物に対して、最大で１０質量％の異性体を含むことが可能である。そのような少ない量は、ＮＭＲ分光法によって、又は好ましくは、ガスクロマトグラフィーによって測定され得る。
【００３８】
本発明の混合物は、硬表面の洗浄、特に、金属表面の脱脂洗浄に極めて有用である。水性組成物として適用される場合には、それらは長い保存寿命を示す。
【００３９】
本発明の他の態様は、本発明の混合物の製造方法であり、要するに、本発明の方法とも呼ばれる。本発明の方法は、少なくとも１種の化合物（Ａ）と少なくとも１種の化合物（Ｂ）を、バルクで、又は好ましくは水性組成物として混合することによって行われ得る。
【００４０】
本発明の方法は、少なくとも１種の化合物（Ａ）と、水溶液としての少なくとも１種の化合物（Ｂ）を、１０℃〜６０℃の範囲の温度で、好ましくは室温で、混合することによって行われ得る。水性組成物は、水性分散液及び水溶液から選択されることができ、水溶液が好ましい。好ましくは、混合は、化合物（Ａ）を含む少なくとも１種の水性組成物と、化合物（Ｂ）を含む少なくとも１種の水性組成物を合わせることによって行われる。
【００４１】
本発明の実施形態の一つにおいては、本発明の方法は、化合物（Ａ）を４０〜６０質量％の範囲で含む水溶液と、化合物（Ｂ）を５５〜７５質量％の範囲で含む少なくとも１種の水溶液とを、１０℃〜６０℃の範囲の温度で混合することによって行われる。
【００４２】
本発明の他の態様は、硬表面又は繊維を洗浄するための本発明の混合物の使用方法である。本発明の他の態様は、本発明の混合物を使用することによって硬表面又は繊維を洗浄する方法であり、上述の方法は、本発明の洗浄方法とも呼ばれる。本発明の洗浄方法を行うために、そういうものとして、又は好ましくは水性組成物として、本発明の任意の混合物を使用することが可能である。そのような水性組成物においては、好ましくは、それらは、本発明の少なくとも１種の混合物を３５〜８０質量％の範囲で含む。
【００４３】
本発明で使用される硬表面は、水に不溶性の、好ましくは、非膨張性の物質の表面として定義される。さらに、本発明で使用される硬表面は、アセトン、揮発油（ミネラルターペン）、エチルアルコールに不溶である。本発明で使用される硬表面は、好ましくは、人的破壊、例えば、爪による引っ掻きに対する耐性も示す。好ましくは、それらは３以上のモース硬度を有する。硬表面の例は、ガラス製品、タイル、石材、磁器、エナメル、コンクリート、革、鋼鉄、他の金属、例えば、鉄又はアルミニウム、さらに、木材、プラスチック、特にメラミン樹脂、ポリエチレン、ポリプロピレン、ＰＭＭＡ、ポリカーボネート、ポリエステル、例えばＰＥＴ、さらにポリスチレン、及びＰＶＣ、さらに、シリコン（ウエハー）表面である。特に有利なのは、組み立てられた物体の少なくとも一部である硬表面を洗浄するために使用されるときの本発明の組成物である。ここでは、そのような組み立てられた物品は、例えば、凸状又は凹状の要素、くぼみ、溝、角、又は瘤のような隆起部分を有する物体を指す。
【００４４】
本発明で使用される繊維は、合成又は天然由来のものとなり得る。天然由来の繊維の例は、綿及び羊毛である。合成由来の繊維の例は、ポリウレタン繊維、例えば、Ｓｐａｎｄｅｘ（Ｒ）又はＬｙｃｒａ（Ｒ）、ポリエステル繊維、ポリアミド繊維及びガラスウールである。他の例は、生体ポリマー繊維、例えば、ビスコース、技術的繊維、例えば、ゴアテックス（Ｒ）である。繊維は、単一繊維又は織物の一部、例えば、編み物、織物、又は不織布となり得る。
【００４５】
本発明の洗浄方法を行うために、本発明の組成物が適用される。好ましくは、本発明の組成物は、例えば、１０〜９９．９質量％の水を含む水性組成物としてそれらの実施形態の中で適用される。本発明の組成物は、分散液、溶液、ゲル又は固体ブロック、マイクロエマルションを含むエマルション、泡となり得る。好ましくは溶液である。それらは、非常に希釈された状態、例えば、１：１０、最大で１：５０で使用され得る。
【００４６】
本発明の洗浄方法を行うために、任意の硬表面又は繊維又は繊維の配列体を本発明の組成物と接触させることができる。
【００４７】
硬表面と本発明の組成物を接触させるときに、本発明の組成物は、周囲温度で適用され得る。他の実施形態において、本発明の組成物は、高温で、例えば、３０〜８５℃で、例えば、３０〜８５℃の温度の本発明の組成物を使用することによって、又は事前に加熱された硬表面（例えば、３０〜８５℃に事前に加熱されている）に本発明の組成物を塗布することによって使用され得る。
【００４８】
一つの実施形態においては、本発明の組成物を、標準圧力下で硬表面に塗布することが可能である。他の実施形態においては、本発明の組成物を、圧力下で、例えば、高圧洗浄機又は圧力洗浄機を使用することによって硬表面に塗布することが可能である。
【００４９】
本発明の実施形態の一つにおいては、塗布時間は１秒から２４時間の範囲、繊維の洗浄の場合には、好ましくは３０分〜５時間の範囲、例えば、床洗浄、キッチン洗浄又はバスルーム洗浄の場合には、好ましくは１秒から１時間となり得る。
【００５０】
本発明における硬表面の洗浄は、ひどい汚れの除去、わずかな汚れの除去、及び塵の除去、さらに、少量の塵の除去までも含み得る。
【００５１】
除去される汚れの例は、塵や汚れに限定されず、すす、炭化水素、例えば、オイル、エンジンオイル、さらに飲食物の残り、体液、例えば、血液又は排泄物、さらに、複雑な天然の混合物、例えば、グリース、及び、複雑な合成混合物、例えば、塗料、コーティング剤、及びグリースを含有する顔料となり得る。
【００５２】
硬表面と本発明の組成物との接触は、１回又は繰り返し、例えば、２回又は３回行われ得る。
【００５３】
硬表面と本発明の組成物との接触を行った後、汚れと塵を含む残りの組成物は除去される。そのような除去は、それぞれの組成物から現在綺麗な硬表面を有する物体を除去することによって又はその逆によって行われることができ、それは、１回以上の濯ぎ工程によってサポートされ得る。
【００５４】
本発明の洗浄方法を行った後、現在綺麗な硬表面を有する物体が乾燥され得る。乾燥は、室温で、又は高温、例えば、３５〜９５℃で行われ得る。乾燥は、乾燥オーブン内で、タンブラー（特に繊維及び織物と共に）内で、又は室温又は高温、例えば３５〜９５℃の空気の流れの中で、行われ得る。フリーズドライは他の選択肢である。
【００５５】
本発明の洗浄方法を行うことによって、硬表面が非常によく洗浄され得る。特に、硬表面で組み立てられた物体がよく洗浄され得る。
【００５６】
本発明の実施形態の一つにおいては、本発明の組成物は、さらに有機又は無機物質を含み得る。
【００５７】
本発明の実施形態の一つにおいては、本発明の水性組成物は、さらに、化合物（Ａ）又は化合物（Ｂ）の合成から生じる少なくとも１種の副生成物を含んでもよい。
【００５８】
そのような副生成物は、例えば、化合物（Ａ）及び（Ｂ）の合成からの出発物質、例えば、それぞれ、式Ｒ１Ｒ２ＣＨ−ＣＨ２−ＯＨ及びＲ３−ＣＨ２−ＯＨのアルコールとなり得る。化合物（Ａ）及び（Ｂ）の合成からの他の副生成物の例は、オリゴマー及びモノサッカライドＧ１及び／又はＧ２のポリマーである。
【００５９】
化合物（Ａ）及び化合物（Ｂ）は、以下のように合成され得る。化合物（Ａ）の合成のために、好ましくは、一般式（ＩＩＩ）
【化４】
2016524627.tif 000006
のアルコールを、触媒の存在下で、Ｇ１基を含むモノサッカライド、ジサッカライド又はポリサッカライドと反応させることである。Ｒ１とＲ２は、それぞれの成分（Ａ）におけるＲ１及びＲ２と同じ方法で定義される。
【００６０】
化合物（Ｂ）の合成のためには、好ましくは、一般式（ＩＶ）
Ｒ３−ＣＨ２−Ｏ−Ｈ                （ＩＶ）
のアルコールを、触媒の存在下で、Ｇ２基を含むモノサッカライド、ジサッカライド又はポリサッカライドと反応させることである。
【００６１】
Ｒ３は、それぞれの成分（Ｂ）におけるＲ３と同じ方法で定義される。
【００６２】
両方の合成において、基本的に、同じ原理に従ってもよく、それらは、以下で“合成”と呼ばれる。
【００６３】
本発明の実施形態の一つにおいては、それぞれの合成は、出発物質としてのモノサッカライド、ジサッカライド又はポリサッカライド又はモノサッカライド、ジサッカライド、及びポリサッカライドの少なくとも２種の混合物を使用して行われる。例えば、Ｇ１（又はＧ２、それぞれ）が、グルコースである場合、グルコースシロップ又は、スターチ又はセルロースを有するグルコースシロップからの混合物が、出発物質として使用され得る。ポリマーグルコースは、通常、一般式（ＩＩＩ）又は（ＶＩＶ）のアルコールと変換する前にそれぞれ脱重合を必要とする。しかし、好ましくは、出発物質として、Ｇ１（又はＧ２、それぞれ）のモノサッカライド又はジサッカライド又はポリサッカライドの何れかを使用することである。
【００６４】
合成の実施形態の一つにおいては、一般式（ＩＩＩ）のアルコール又は、一般式（ＩＶ）のアルコール、それぞれ−モノサッカライド、ジサッカライド又はポリサッカライドは、モノサッカライド、ジサッカライド又はポリサッカライドのモル当たり、１．５〜１０ｍｏｌ、好ましくは、モノサッカライド、ジサッカライド又はポリサッカライドのモル当たり、２．３〜６ｍｏｌの範囲のモル比で選択され、モノサッカライド、ジサッカライド又はポリサッカライドのモル量は、それぞれのＧ１又はＧ２基の塩基に基づいて計算される。
【００６５】
触媒は酸性触媒から選択され得る。好ましい酸性触媒は、強鉱酸、特に、硫酸又は有機酸、例えば、スルホコハク酸、又はアリールスルホン酸、例えば、パラトルエンスルホン酸から選択される。他の酸性の酸の例は、酸性イオン交換樹脂である。好ましくは、０．０００５〜０．０２ｍｏｌの範囲の量の触媒が糖モル当たりに使用される。
【００６６】
実施形態の一つにおいては、それぞれの合成は、９０〜１２５℃、好ましくは１００〜１１５℃、特に好ましくは１０２〜１１０℃の範囲の温度で行われる。
【００６７】
本発明の実施形態の一つにおいては、合成は、２〜１５時間の範囲の時間の間中行われる。
【００６８】
合成を行う間、好ましくは、例えば、水を留去することによって、反応時に形成された水を除去することである。
【００６９】
実施形態の一つにおいては、合成は、２０ｍｂａｒ〜常圧までの範囲の圧力で行われる。
【００７０】
実施形態の一つにおいては、一般式（ＩＩＩ）又は（ＩＶ）の過剰なアルコールは、触媒を追加した直後に留去される。
【００７１】
他の実施形態においては、合成の最後に、一般式（ＩＩＩ）又は（ＩＶ）の未反応のアルコールは、それぞれ、例えば、留去によって除去される。そのような除去は、例えば、塩基、例えば、ナトリウムヒドロキシド、又はＭｇＯによる酸性触媒の中和後に開始され得る。過剰なアルコールの留去のための温度は、それぞれ、一般式（ＩＩＩ）又は（ＩＶ）のアルコールに従って選択される。多くの場合、１４０〜２１５℃の範囲の温度、１ｍｂａｒ〜５００ｍｂａｒの範囲の圧力が選択される。
【００７２】
実施形態の一つにおいては、本発明の方法は、さらに一回以上の精製工程を含む。可能な精製工程は、例えば、ペルオキシド、例えば、過酸化水素を用いる漂白、吸着剤、例えば、シリカゲルによるろ過、木炭による処理から選択され得る。
【００７３】
本発明の組成物は、固体、液体又はスラリーの状態となり得る。好ましくは、本発明の組成物は、液体又は固体組成物から選択される。実施形態の一つにおいては、本発明の組成物は、水性、好ましくは液体水性組成物である。
【００７４】
本発明の実施形態の一つにおいては、本発明の組成物は、それぞれの組成物の合計に対して０．１〜９０質量％の水を含み得る。
【００７５】
本発明の実施形態の一つにおいては、本発明の組成物は、０〜１４、好ましくは３〜１１の範囲のｐＨ値を有する。ｐＨ値は、硬表面のタイプ及び特定の用途に従って選択され得る。例えば、好ましくは、バスルーム又はトイレ洗浄のためには、３〜４の範囲のｐＨ値を選択することである。さらに好ましくは、食器洗い又は床洗浄のためには、４〜１０の範囲のｐＨ値を選択することである。さらに、金属の脱脂洗浄、及びオープンプラントの泡洗浄、例えば、畜殺場の洗浄、牛乳及び乳製品プラントの洗浄のためには、１０〜１４の範囲のｐＨ値を選択することである。
【００７６】
本発明の実施形態の一つにおいては、本発明の組成物は、少なくとも１種の活性成分を含む。活性成分は、石鹸、アニオン性界面活性剤、例えば、ＬＡＳ（直鎖状アルカリベンゼンスルホネート）又はパラフィンスルホネート又はＦＡＳ（脂肪族アルコールスルホネート）又はＦＡＥＳ（脂肪族アルコールエーテルサルフェート）、さらに酸、例えば、リン酸、アミドスルホン酸、クエン酸、乳酸、酢酸、他の有機、無機酸、さらに、有機溶媒、例えば、ブチルグリコール、ｎ−ブトキシプロパノール、特に、１−ブトキシ−２−プロパノール、エチレングリコール、プロピレングリコール、グリセリン、エタノール、モノエタノールアミン、及びイソプロパノールから選択され得る。
【００７７】
本発明の実施形態の一つにおいては、本発明の組成物は、酢酸、クエン酸及びメタンスルホン酸から選択される少なくとも１種の有機酸を含む。
【００７８】
本発明の実施形態の一つにおいては、本発明の組成物は、式（Ｉ）及び（ＩＶ）の化合物と異なる非イオン性界面活性剤から選択される少なくとも１種以上の活性成分を含む。好適な非イオン性界面活性剤の例は、アルコキシル化ｎ−Ｃ１０−Ｃ２０脂肪族アルコール、例えば、ｍが、５〜１００の範囲であるｎ−Ｃ１０−Ｃ２０−アルキル（ＥＯ）ｍＯＨ、さらに、エチレンオキシドとプロピレンオキシドのブロックコポリマー、例えば、Ｍｗが、３０００〜５０００ｇ／ｍｏｌの範囲であり、ＰＯ含有量が２０〜５０質量％であるポリ−ＥＯ−ポリ−ＰＯ−ポリ−ＥＯである。他の例は、ＡＯが少なくとも２種の異なるアルキレンオキシド、例えば、ＥＯ及び１，２−ブチレンオキシド、又はＥＯ及びＰＯであり、ｍが、５〜１００の範囲であるｎ−Ｃ１０−Ｃ２０−アルキル（ＡＯ）ｍＯＨである。
【００７９】
本発明の実施形態の一つにおいては、本発明の組成物はバス洗浄剤として、サニタリー洗浄剤として、キッチン洗浄剤として、トイレ洗浄剤として、便器洗浄剤として、サニタリーデスケーラとして、多目的家庭用洗浄剤として、多目的家庭用洗浄剤濃縮物として、金属脱脂洗浄剤として、多目的家庭用スプレー洗浄剤として、皿洗い洗浄剤として、自動食器洗い洗浄剤として、又は床洗浄剤として、手洗い用洗浄剤として使用され得る。
【００８０】
本発明の実施形態の一つにおいては、本発明の組成物は、少なくとも１種の殺生物剤又は防腐剤、例えば、ベンザルコニウムクロリドを含み得る。
【００８１】
本発明の他の実施形態においては、本発明の組成物は、洗濯用洗剤として使用され得る。
【００８２】
本発明の実施形態の一つにおいては、本発明の組成物は、無機ビルダー、例えば、ホスフェート、例えば、トリホスフェートから選択される１種以上の活性成分を含み得る。
【００８３】
本発明のホスフェートを含まない組成物が好ましい。本発明においては、“ホスフェートを含まない”の語は、重量法によって測定され、合計固体含有量に対して最大でホスフェートを０．５質量％有する組成物を指し、ホスフェートを含まない組成物は、最小で、５０ｐｐｍ（質量）か、それ未満のホスフェートを含み得る。
【００８４】
好ましい無機ビルダーの例は、シリケート、カルボネート及びアルモシリケートである。シリケート及びアルモシリケートは、結晶性及びアモルファス物質から選択され得る。
【００８５】
本発明の実施形態の一つにおいては、無機ビルダーは、イオン交換特性を有する結晶性アルモシリケート、例えば、特にゼオライトから選択される。様々なタイプのゼオライトが好適であり、特に、Ｎａの状態が、又は、Ｎａが、カチオン、例えば、Ｌｉ＋、Ｋ＋、Ｃａ２＋、Ｍｇ２＋又はアンモニウムで部分的に置換されている状態のゼオライトＡ、Ｘ、Ｂ、Ｐ、ＭＡＰ及びＨＳである。
【００８６】
好適な結晶性シリケートは、例えば、ジシリケート及び層状シリケートである。結晶性シリケートは、アルカリ金属、アルカリ土類金属、又はアンモニウム塩の状態で、好ましくはＮａ、Ｌｉ及びＭｇシリケートとして使用され得る。
【００８７】
アモルファスシリケート、例えば、ポリマー構造を有するナトリウムメタシリケート又はＢｒｉｔｅｓｉｌ（Ｒ）Ｈ２０（製造業者：Ａｋｚｏ）が選択され得る。
【００８８】
カルボネートを主原料とする好適な無機ビルダーは、カルボネート及びハイドロゲンカルボネートである。カルボネート及びハイドロゲンカルボネートは、アルカリ金属、アルカリ土類金属又はアンモニウム塩の状態で使用され得る。好ましくは、Ｎａ、Ｌｉ及びＭｇカルボネート又はハイドロゲンカルボネート、特に、ナトリウムカルボネート及び／又はナトリウムハイドロゲンカルボネートが選択され得る。他の好適な無機ビルダーは、硫酸ナトリウム及びクエン酸ナトリウムである。
【００８９】
本発明の実施形態においては、本発明の組成物は、少なくとも１種の有機錯化剤（有機コビルダー）、例えば、ＥＤＴＡ（Ｎ，Ｎ，Ｎ’，Ｎ’−エチレンジアミンテトラ酢酸）、ＮＴＡ（Ｎ，Ｎ，Ｎ−ニトリロトリ酢酸）、ＭＧＤＡ（２−メチルグリシン−Ｎ，Ｎ−ジ酢酸）、ＧＬＤＡ（グルタミン酸Ｎ，Ｎ−ジ酢酸）及びホスホネート、例えば、２−ホスホノ−１，２，４−ブタントリカルボン酸、アミノトリ（メチレンホスホン酸）、１−ヒドロキシエチレン（１，１−ジホスホン酸）（ＨＥＤＰ）、エチレンジアミンテトラメチレンホスホン酸、ヘキサメチレンジアミンテトラメチレンホスホン酸、ジエチレントリアミンペンタメチレンホスホン酸、それぞれの場合におけるそれぞれのアルカリ金属塩、特にそれぞれのナトリウム塩を含み得る。好ましくは、ＨＥＤＰ、ＧＬＤＡ及びＭＧＤＡのナトリウム塩である。
【００９０】
本発明の実施形態の一つにおいては、本発明の組成物は、有機ポリマー、例えば、ポリアクリレート及びマレイン酸−アクリル酸のコポリマーから選択される１種以上の活性成分を含み得る。
【００９１】
本発明の実施形態の一つにおいては、本発明の組成物は、アルカリドナー、例えば、ヒドロキシド、シリケート、カルボネートから選択される１種以上の活性成分を含み得る。
【００９２】
本発明の実施形態の一つにおいては、本発明の組成物は、１種以上の他の成分、例えば、香油、酸化剤及び漂白剤、例えば、過ホウ酸塩、過酸、又はトリクロロイソシアヌル酸、Ｎａ又はＫジクロロイソシアヌレート及び酵素を含み得る。
【００９３】
最も好ましい酵素は、リパーゼ、アミラーゼ、セルラーゼ、及びプロテアーゼを含む。さらに、例えば、エステラーゼ、ペクチナーゼ、ラクターゼ、及びペルオキシダーゼを使用することも可能である。
【００９４】
酵素は、キャリア物質の上に置かれてもよく、又はそれらを早期分解から保護するためにカプセルに内包されてもよい。
【００９５】
本発明の実施形態の一つにおいては、本発明の組成物は１種以上の活性成分、例えば、グレーイング抑制剤及びソイルリリースポリマーを含み得る。
【００９６】
好適なソイルリリースポリマー及び／又はグレーイング抑制剤の例は：
ジオール成分としての、ポリエチレンオキシド及びエチレングリコール及び／又はプロピレングリコールと、酸成分としての、芳香族ジカルボン酸又は芳香族及び脂肪族ジカルボン酸を組み合わせたものとのポリエステル、
酸成分としての、芳香族ジカルボン酸又は芳香族及び脂肪族ジカルボン酸を組み合わせたものと、ジオール成分としての、ニ−又は多価脂肪族アルコール、特に、ポリエチレンオキシドとのポリエステル、上述のポリエトキシル化されたＣ１−Ｃ１０アルカノールでキャップされたポリエステルである。
【００９７】
好適なソイルリリースポリマーの他の例は、両親媒性のコポリマー、特に、ポリアルキレンオキシド上のビニルエステル及び／又はアクリル酸エステルのグラフトコポリマーである。他の例は、変性セルロース、例えば、メチルセルロース、ヒドロキシプロピルセルロース及びカルボキシメチルセルロースである。
【００９８】
本発明の実施形態の一つにおいては、本発明の組成物は、染料移動抑制剤、例えば、ビニルピロリドン、ビニルイミダゾール、ビニルオキサゾリドン、又は４−ビニルピリジンＮ−オキシドのホモポリマー及びコポリマー（それぞれの平均モル質量Ｍｗが１５０００〜１０００００ｇ／ｍｏｌである）、及び、上述のモノマーを主原料とする架橋された微細化ポリマーから選択される１種以上の活性成分を含み得る。
【００９９】
本発明の実施形態の一つにおいては、本発明の組成物は、それぞれの組成物の合計固体含有量に対して、有機錯化剤を０．１〜５０質量％、好ましくは１〜２０質量％含む。
【０１００】
本発明の実施形態の一つにおいては、本発明の組成物は、それぞれの組成物の合計固体含有量に対して、アニオン性界面活性剤を０．１〜８０質量％、好ましくは５〜５５質量％含む。
【０１０１】
本発明の実施形態の一つにおいては、本発明の組成物は、消泡剤から選択される１種以上の活性成分を含み得る。好適な消泡剤の例は、シリコンオイル、特に、室温で液体であり、シリカ粒子を含まない又はシリカ粒子を有するジメチルポリシロキサン、さらに、微結晶性ワックス及び脂肪酸グリセリドである。
【０１０２】
本発明の実施形態の一つにおいては、本発明の組成物は、いかなる消泡剤を含まず、それは、本発明において、上述の本発明の組成物は、それぞれの組成物の合計固体含有量に対して、０．１質量％未満のシリコンオイルと、０．１質量％未満の脂肪酸グリセリドと、０．１質量％未満の微結晶性ワックスを含むことを意味する。極端にいえば、本発明の組成物は、測定可能な量のシリコンオイル又は脂肪酸グリセリドを一切含まない。
【実施例】
【０１０３】
概論
パーセンテージは、明確に別段の記載がない限り、質量％である。
【０１０４】
本発明においては、室温及び周囲温度は共に、明確に別段の記載がない限り、２０℃を指す。
【０１０５】
ハーゼン数は、水９０質量％と、溶媒としてのイソプロパノール１０質量％との混合物を有し、一般式（Ｉ）又は（ＩＩ）のそれぞれの化合物の溶液の１０質量％溶液を使用して測定された。濁った混合物が形成された場合のみ、水８０質量％とイソプロパノール２０質量％の混合物が使用された。円形容器（直径１１ｍｍ）がキュベットとして使用された。その後、色が、ユーザーマニュアルに従って、分光光度計Ｄｒ．Ｌａｎｇｅ Ｌｉｃｏ２００によって測定された。
【０１０６】
（Ａ．２）は、以下のように合成された：
アルコール（ＩＩＩ．１）として、以下の化合物が使用された：
【化５】
2016524627.tif 000007
【０１０７】
それは、イソ−アミルアルコールのゲルべ反応によって得られた。それは、１０ｍｏｌ％の（ＩＩＩ．１ａ）の不純物を有した。
【０１０８】
【化６】
2016524627.tif 000008
【０１０９】
従って、それは、以下で、“アルコール混合物（ＩＩＩ．１）とも呼ばれる”９：１の異性体の混合物であった。
【０１１０】
ディーンスタークトラップを有する凝縮器と、３段階の攪拌機と、蒸留レシーバと、滴下漏斗が備え付けられたジャケット付き４Ｌのガラス反応器に、７０３．６ｇ（２．４モル）のグルコースモノハイドレートと、１２５０ｇのアルコール混合物（ＩＩＩ．１）を入れた。結果として生じたスラリーを、攪拌された状態で、７５℃で、３０ｍｂａｒの圧力で、３０分間乾燥した。その後、圧力を周囲圧力に調節し、スラリーを、９０℃に加熱した。１００ｇのアルコール混合物（ＩＩＩ．１）に溶解された２．１４ｇの量の濃硫酸（９６質量％）を加え、温度が１０６℃に到達するまで加熱を継続した。攪拌された状態で、圧力を３０ｍｂａｒに設定し、形成された水をコールドトラップに備え付けられたディーンスタークトラップで留去した。５．５時間後、それ以上の水が形成されず、理論的に形成される水の量がコールドトラップ内に存在した。
【０１１１】
その後、反応は、触媒を５０質量％の水性ＮａＯＨ２．６ｇで中和することによって終了された。イソプロパノール／水（１：１０）の１０％溶液で測定されたｐＨ値は、少なくとも９．５であった。その後、反応混合液を丸底フラスコ内に移し、１４０℃／１ｍｂａｒで過剰のアルコール混合物（ＩＩＩ．１）を留去した。過剰のアルコール混合物（ＩＩＩ．１）を除去する間、温度を２時間以内で１８０℃に段階的に上昇させた。それ以上のアルコールが留去されなくなったときに、水（室温）の中に液体反応混合物を攪拌しながら加え、固体含有量を６０％に調整し、周囲温度まで冷却した。これにより水性ペーストが形成された。成分（Ａ．２）は、１．３の重合度（数平均）を有し、残りのアルコール含有量は０．０４ｇであり、そうして得られたペーストの水含有量は４０．８％であった。ｐＨ値は、４．１であり、色数（ガードナー）は１６．３であった。
【０１１２】
色を向上させるために、上述の水性ペースト８００ｇを４Ｌ容器内に移し、メルコクァントペルオキシド試験棒で測定して、合計ペルオキシド含有量が３００〜１５００ｐｐｍの範囲となるように加えた３５質量％の水性Ｈ２Ｏ２３８．５ｇと反応させた。ｐＨ値は７．５〜８の範囲で維持された。最終的にｐＨ値を、５０質量％の水性ＮａＯＨで１１．５に調整した。色数（ガードナー）は、２．９まで低下し、水含有量は４５．９％に上昇した。ｐＨ値とペルオキシド含有量に関する全ての測定は、１０体積％の希釈されたペーストで行われた。希釈用に、１５体積％のイソプロパノールの水性溶液が使用された。
【０１１３】
以下のアルキルポリグルコシドが使用された：
（Ａ．１）：２−ｎ−プロピルヘプチルグルコシド：Ｇ１＝グルコース、ｘ＝１．４、Ｒ１＝ｎ−Ｃ３Ｈ７、Ｒ２＝ｎ−Ｃ５Ｈ１１
（Ａ．２）：２−イソプロピル５−メチルヘキシルグルコシド、Ｇ１＝グルコース、ｘ＝１．３、Ｒ１＝イソ−Ｃ３Ｈ７、Ｒ２＝イソ−Ｃ５Ｈ１１
（Ｂ．１）：２−エチルヘキシルグルコシド、Ｇ２＝グルコース、ｙ＝１．４、Ｒ３＝ＣＨ（Ｃ２Ｈ５）−（ＣＨ２）２ＣＨ３
（Ｂ．２）：ｎ−ヘキシルグルコシド、Ｇ２＝グルコース、ｙ＝１．４、Ｒ３＝ｎ−Ｃ５Ｈ１１
（Ｂ．３）：イソアミルグルコシド、Ｇ２＝グルコース、ｙ＝１．４、Ｒ３＝（ＣＨ２）２ＣＨ（ＣＨ３）２
（Ｂ．４）：ｎ−ブチルグルコシド、Ｇ２＝グルコース、ｙ＝１．４、Ｒ３＝ｎ−Ｃ３Ｈ７
【０１１４】
ｘとｙの値を、高温ガスクロマトグラフィー（ＨＴＧＣ）（例えば、４００℃で、Ｋ．Ｈｉｌｌらによる“アルキルポリグリコシド”（ＶＣＨ  ヴァインハイム、ニューヨーク、バーゼル、ケンブリッジ、東京、１９９７年、特に２８ページｆｆ）に従う）によって、キャピラリー材料としてデュランガラスを用いて測定した。
【０１１５】
Ｉ．本発明の混合物及び比較混合物の形成
【０１１６】
それぞれの化合物（Ａ）及び（Ｂ）を、それぞれ水に溶解させて５０質量％の水溶液が形成された。化合物（Ａ）の溶液の一つと、化合物（Ｂ）の溶液の一つを、磁気攪拌機で攪拌しながらビーカー内で所定の質量比で混合した。化合物（Ａ）と（Ｂ）の比に応じて、透明水溶液として、表１に従って本発明の混合物又は比較混合物が得られた。
【０１１７】
それぞれの混合物の試料を、１２週間、周囲温度で保存し、その後、視覚的に評価した。
【０１１８】
追加の比較として、純粋な（Ａ．１）を有する５０質量％の水溶液と、純粋な（Ａ．２）を有する５０質量％の水溶液を、それぞれ、１２週間、周囲温度で保存し、その後視覚的に評価した。両方の溶液は濁っていた。
【０１１９】
結果は表１に要約される。
【０１２０】
【表１】
2016524627.tif 000009
【０１２１】
ＩＩ．本発明の混合物及び比較混合物の洗浄特性
【０１２２】
試験汚れ：
３６質量％  揮発油（沸点幅  ８０／１００℃）
１７質量％  トリグリセリド（市販のＭｙｒｉｔｏｌ（Ｒ）３１８）
４０質量％  鉱油（市販のＮｙｔｅｘ（Ｒ）８０１）
７質量％  カーボンブラック
【０１２３】
試験汚れを準備するために、ビーカーに揮発油を入れた。トリグリセリドと鉱油を攪拌した状態（５００ｒｐｍ）で透明な溶液が形成されるまで加えた。その後、カーボンブラックをゆっくりと加えた。その後、そのようにして得られた分散液を、ＩＫＡ Ｕｌｔｒａ−Ｔｕｒｒａｘ（Ｒ）Ｔ２５デジタル−ベーシックで３０分間攪拌した。その後、分散液を、周囲温度で２１日間、磁気攪拌機で攪拌し、その後、上述のＵｌｔｒａ−Ｔｕｒｒａｘ（Ｒ）で３０分間攪拌した。その後、そのようにして得られた分散液を、磁気攪拌機装置で連続的に攪拌した状態で、周囲条件下でさらに１４日間密閉されたガラス瓶内に保存した。その後、そのようにして得られた試験汚れは、使用するために準備される。
【０１２４】
試験基質として、白色ＰＶＣストライプ（３７・４２３・１．２ｍｍ）（Ｇｅｒｒｉｓから市販されているＰＶＣ‐Ｔａｎｚｔｅｐｐｉｃｈ（Ｒ）５４１０ バリオホワイト）を使用した。
【０１２５】
試験洗浄剤として、表１及び２に記載の量の本発明の混合物又は比較混合物を５０ｍｌの水に溶解させた。ｐＨ値を、０．１ＭのＮａＯＨ又は、必要があれば、０．１Ｍの酢酸で７に調整した。その後、それぞれの試験洗浄剤の合計質量を、蒸留水を加えることによって、合計質量が１００ｇ（±０．２ｇ）になるように調整した。
【０１２６】
試験は、自動試験装置で行われたガードナー試験であった。装置は、スポンジ（ビスコース、Ｓｐｏｎｔｅｘ（Ｒ）Ｚ１４７００として市販されている）、布部分９．４ｃｍを含んでいた。一回ごとに、初めに５本の試験ストライプを、ブラシによって０．２８（±０．２）ｇの試験汚れで汚し、その後、一時間、周囲温度で乾燥させた。その後、それらは、２０ｍｌの試験洗浄剤で浸漬された湿ったスポンジで、３００ｇ重量の力と動作速度１０ｍ／ｓで、１０回左右に動かして処理した。それぞれの試験ストライプに対して新しいスポンジを使用した。汚すこと及び汚れを除去することをそれぞれデジタルカメラで記録した。
【０１２７】
【表２】
2016524627.tif 000010
【０１２８】
固体含有量は、試験洗浄剤を指し、ｇ（固体）／１００ｇで表わされる。
【０１２９】
標準偏差は、一回ごとに同一の洗浄剤と同一の汚れを使用して試験された５本のＰＶＣストライプを指す。
【国際調査報告】
2016524627.tif 000013
2016524627.tif 000014